(57)【要約】【課題】パッキン本来の機能を損なうことなく、パッキンの嵌め込みが容易な合成樹脂製キャップを提供する。【解決手段】本発明キャップ１は、容器の口部頂部31fに配置される天壁11と、この天壁11の縁部12に沿って一体に繋がる筒状壁13とを備え、この筒状壁13の内側に、天壁11との間にパッキン２を嵌め込んで抜け止め保持する環状の突起15を設けてなる。突起15は、曲率半径ｒ1で形成される、容器の口部と向かい合う下方側傾斜面15aと、この傾斜面15aを形成する曲率半径ｒ1によりも小さい曲率半径ｒ2で一体に繋がる頂面15bと、傾斜面15aを形成する曲率半径ｒ1よりも小さく、頂面15bを形成する曲率半径ｒ2よりも大きな曲率半径ｒ3をもって筒状壁13の内側となる、パッキン収納面13fに繋がる上方側傾斜面15cとからなる。【選択図】図２
2008007157.tif 000002
【特許請求の範囲】
【請求項１】
容器の口部頂部に配置される天壁と、この天壁の縁部に沿って一体に繋がる筒状壁とを備え、この筒状壁の内側に、前記天壁との間にパッキンを嵌め込んで抜け止め保持する環状の突起を設けてなる、合成樹脂製キャップであって、
前記突起の、容器の口部と向かい合う下方側傾斜面が、容器の口部に向かって膨出する湾曲面を形成してなることを特徴とする、合成樹脂製キャップ。
【請求項２】
前記突起は、パッキンを抜け止め保持する上方側傾斜面と、前記下方側傾斜面との相互間に、当該下方側傾斜面を形成する曲率半径よりも小さい曲率半径で繋ぐ頂面を備える、請求項１に記載の合成樹脂製キャップ。
【請求項３】
前記上方側傾斜面は、前記下方側傾斜面を形成する曲率半径よりも小さく、前記頂面を形成する曲率半径よりも大きな曲率半径をもって前記筒状壁のパッキン収納面に繋がる、請求項２に記載の合成樹脂製キャップ。
【発明の詳細な説明】
【技術分野】
【０００１】
本発明は、容器の口部に螺着させることにより、容器内を密閉するパッキンが装着される合成樹脂製キャップに関するものである。
【背景技術】
【０００２】
従来の合成樹脂製キャップには、容器の口部に螺着される筒状部の内側に、前記パッキンを嵌め込む開口を形成して当該パッキンを抜け止め保持する環状の突起を設けてなるものがある（例えば、特許文献１参照。）。
【特許文献１】特開平１１−１６５７５９号公報
【発明の開示】
【発明が解決しようとする課題】
【０００３】
しかしながら、こうした従来のキャップは、パッキンの脱落を防止するには有効である反面、パッキンの嵌め込みが困難で、パッキンが捲れたり、皺が発生する等した場合、パッキン本来の機能が損なわれるといった問題があった。
【０００４】
本発明の解決すべき課題は、上述した事実に鑑みてなされたものであり、パッキン本来の機能を損なうことなく、パッキンの嵌め込みが容易な合成樹脂製キャップを提供することにある。
【課題を解決するための手段】
【０００５】
本発明は、容器の口部頂部に配置される天壁と、この天壁の縁部に沿って一体に繋がる筒状壁とを備え、この筒状壁の内側に、前記天壁との間にパッキンを嵌め込んで抜け止め保持する環状の突起を設けてなる、合成樹脂製キャップであって、前記突起、容器の口部と向かい合う下方側傾斜面が、容器の口部に向かって膨出する湾曲面を形成してなることを特徴とするものである。なお、本発明において、「環状の突起」とは、筒状壁の全周に亘って連続的に設けられたものに限らず、断続的に設けられたものも含む。
【０００６】
本発明において、前記突起は、パッキンを抜け止め保持する上方側傾斜面と、前記下方側傾斜面との相互間に、当該下方側傾斜面を形成する曲率半径よりも小さい曲率半径で繋ぐ頂面を備えることが好ましい。
【０００７】
本発明において、前記上方側傾斜面は、前記下方側傾斜面を形成する曲率半径よりも小さく、前記頂面を形成する曲率半径よりも大きな曲率半径をもって前記筒状壁のパッキン収納面に繋がることが好ましい。
【発明の効果】
【０００８】
本発明によれば、環状の突起の下方側傾斜面が、容器の口部に向かって膨出する湾曲面を形成してなるから、パッキンの嵌め込みが容易で、しかも、パッキンが捲れたり、皺が発生することがない。従って、本発明によれば、パッキン本来の機能を損なうことなく、パッキンの嵌め込みが容易な合成樹脂製キャップを提供することができる。
【発明を実施するための最良の形態】
【０００９】
以下、図面を参照して、本発明である、合成樹脂製キャップの好適な形態を説明する。
【００１０】
図１(a),(b)はそれぞれ、本発明に従うキャップ１及び当該キャップ１にパッキン２を装着した状態を正面から示す断面図である。また、図２は、パッキン２を装着したキャップ１をボトルに代表される容器の口部31に螺着した状態をキャップ軸線Ｏに対して片側半分のみ示す要部拡大断面図である。
【００１１】
キャップ１は、図１に示すように、ポリプロピレン樹脂に代表される合成樹脂からなり、容器の口部31の頂部31fに配置される天壁11と、この天壁11に繋がる、面取りされたテーパ形状の縁部12と、この縁部12に沿って一体に繋がる筒状壁13とを一体に備える。
【００１２】
筒状壁13の内側には、図２に示すように、容器の口部31に形成したおねじ部31aに着脱可能に螺合するめねじ部14が形成されている。このめねじ部14は、そのねじ山頂点がそれぞれ、キャップ軸線Ｏから当該頂点に至るまでの距離が等しく直線Ｌ1に沿って整列している。同様に、口部31に形成したおねじ部31aも、そのねじ山頂点がそれぞれ、キャップ軸線Ｏから当該頂点に至るまでの距離が等しく直線Ｌ2に沿って整列している。更に、筒状壁13の内側には、天壁11との間に、パッキン２を嵌め込んで抜け止め保持する環状の突起15が一体に設けられている。
【００１３】
突起15は、図２に示すように、曲率半径ｒ1で形成される容器の口部31と向かい合う下方側傾斜面15aと、この下方側傾斜面15aを形成する曲率半径ｒ1よりも小さい曲率半径ｒ2で一体に繋がる頂面15bと、下方側傾斜面15aを形成する曲率半径ｒ1よりも小さく、頂面15bを形成する曲率半径ｒ2よりも大きな曲率半径ｒ3をもって筒状壁13のパッキン収納面13fに繋がる上方側傾斜面15cとからなる。
【００１４】
また、天壁11の裏面11fの隅部には、軸線Ｏ周りを周回する環状溝16が形成されている。この環状溝16は、キャップ収納面13fと繋がる断面が曲率半径ｒ4で形成される弧状面16aと、この弧状面16aと一体に繋がる変曲面16bとからなり、この変曲面16bは、弧状面16aを形成する曲率半径ｒ4よりも小さな曲率半径ｒ5で形成され、裏面11fに一体に繋がる。
【００１５】
更に、天壁11の上部には、環状溝16に至る円形の窪み11ｎが形成されている。このため、本発明に従うキャップ１によれば、窪み11ｎと環状溝16との相互間の厚さＴ1は、窪み11ｎと裏面11fとの相互間の厚さＴ2よりも薄肉となる。
【００１６】
本発明に従うキャップ１によれば、下方側傾斜面15aが、容器の口部31aに向かって膨出する湾曲面を形成してなるから、パッキン２の嵌め込みが容易で、しかも、パッキン２が捲れたり、皺が発生することがない。従って、パッキン２本来の機能を損なうことなく、パッキン２の嵌め込みが容易な合成樹脂製キャップを提供することができる。
【００１７】
また、頂面15bの内径Ｄ15は、パッキン２を嵌め込む際の最小径となるため、本発明に従うキャップ１の如く、頂面15bが下方側傾斜面15aを形成する曲率半径ｒ1によりも小さい曲率半径ｒ2で一体に繋がれば、パッキン２を嵌め込む際に頂面15bと接触する時間が短く済む。このため、下方側傾斜面15aによるパッキン２の裏面11f側への円滑な送りと併せ、更に、パッキン２の嵌め込みが容易で、パッキン２が捲れたり、皺が発生することがない。
【００１８】
更に、本発明に従うキャップ１によれば、上方側傾斜面15cが、頂面15bを形成する曲率半径ｒ2よりも大きく、筒状壁13側に向かって膨出する曲率半径ｒ3をもって筒状壁13のパッキン収納面13fに繋がるため、パッキンの抜け止め保持がより一層強固なものとなり、パッキンの嵌め込みが容易であることに加え、パッキン本来の機能である密閉性が向上する。
【００１９】
更に、本発明に従うキャップ１は、めねじ部14の内径Ｄ14をパッキン２の外径Ｄ2よりも大きくしてなる。この場合、パッキン２がめねじ部14に引っ掛かることなく、嵌め込みが容易である。同様に、パッキン収納面13fも、パッキン２の外径Ｄ2よりも間隔ｗだけ大きくする。この間隔ｗを設ければ、パッキン２の嵌め込みが更に円滑になる。なお、間隔ｗは、パッキンの形状や材質を考慮し、キャップ１を締めたときに密閉性が確保できる値であればよく、例えば、ｗ＝０．０５mmが挙げられる。
【００２０】
また、本発明に従うキャップ１によれば、天壁11の裏面11fの隅部に、曲率半径ｒ4で形成される天壁11の内部に向かって膨出する弧状面16aと、この弧状面16aを形成する曲率半径ｒ4よりも小さな曲率半径ｒ5でパッキン2側に向かって膨出するように形成された変曲面16bとからなる環状溝16を設けたことにより、変曲面16b付近を起点に筒状壁13を変形させやすくなるため、パッキン２の嵌め込みが容易で、パッキン２の隅部が押圧されることなく安定した状態で確実に装着できる。
【００２１】
更に、本発明に従うキャップ１によれば、窪み11ｎと環状溝16との相互間の厚さＴ1は、窪み11ｎと裏面11fとの相互間の厚さＴ2よりも薄肉となるため、筒状壁13を更に変形させやすくなるという効果を奏する。
【００２２】
更に、本発明に従うキャップ１によれば、めねじ部14は、そのねじ山頂点がそれぞれ、キャップ軸線Ｏから当該頂点に至るまでの距離が等しく直線Ｌ1に沿って整列しているため、パッキン2をキャップ1のめねじ部14に引っ掛かることなく挿入できる。
【００２３】
ところで、従来は、キャップ１の外形を形作る外枠型と、キャップ１の内側にパッキン収納面13f、めねじ部14及び環状突起15を形作るコアとを用いて一体成形するにあたっては、外枠型をキャップ１から離型させると同時に、コアをめねじ部14に沿って回転させることでキャップ１から離型させていた。
【００２４】
これに対し、本発明に従うキャップ１を、外枠型とコアとを用いて一体成形するにあたっては、初めにキャップ１の外側から外枠型を離型させた後、コアをめねじ部14に沿って回転させることでキャップ１から離型させれば、成形性に優れる。
【００２５】
上述したところは、本発明の好適な形態をしたものであるが、特許請求の範囲において、種々の変更を加えることができる。例えば、環状の突起15は、筒状壁13の全周に亘って連続的に設けられたものに限らず、断続的に設けられたものも含む。また、キャップは、螺合によるネジ式以外に、凹凸嵌合等による打栓式であってもよい。また、キャップの構造は、注出口を備えたものであっても良い。
【図面の簡単な説明】
【００２６】
【図１】(a),(b)はそれぞれ、本発明に従うキャップ及び当該キャップにパッキンを装着した状態を正面から示す断面図である。
【図２】パッキンを装着した本発明に従うキャップを容器の口部に螺着した状態を半面のみ示す要部拡大断面図である。
【符号の説明】
【００２７】
１  キャップ
２  パッキン
11  天壁
12  縁部
13  筒状壁
14  めねじ部
15  環状突起
15a下方側傾斜面
15b 頂面
15c 上方側傾斜面
16  環状溝
16a  弧状面
16b  変曲面
ｒ1  下方側傾斜面を形成する曲率半径
ｒ2  頂面を形成する曲率半径
ｒ3  上方側傾斜面を形成する曲率半径
ｒ4  弧状面を形成する曲率半径
ｒ5  変曲面を形成する曲率半径
【図１】
2008007157.tif 000003
【図２】
2008007157.tif 000004